(57)【要約】【課題】「ＩＳＲ」が適用されている場合で、移動局ＵＥが、ＵＴＲＡＮ内のエリアに在圏している間に、「Ｄｅｆａｕｌｔ  ＡＰＮ」との間の接続が切断された場合であっても、ＵＴＲＡＮ内のエリアからＥ-ＵＴＲＡＮ内のエリアに戻った場合に、「Ｄｅｆａｕｌｔ  ＡＰＮ」に対する接続処理を行うことを可能とする。【解決手段】本発明に係る移動通信方法において、移動局ＵＥは、ＵＴＲＡＮ内のエリアからＥ-ＵＴＲＡＮ内のエリアに移動した場合に、Ｅ-ＵＴＲＡＮに対して位置登録処理を行う必要が無いと判断した場合であっても、「Ｄｅｆａｕｌｔ  ＡＰＮ」に対する接続がないと判断した場合には、Ｄｅｆａｕｌｔ  ＡＰＮ」に対する接続処理を行う。【選択図】図４
2010010849.tif 000002
【特許請求の範囲】
【請求項１】
移動局が、第２ネットワーク内の第２エリアから第１ネットワーク内の第１エリアに移動した場合に、該第１エリアに係る情報を管理しているか否かに応じて、該第１ネットワークに対して位置登録処理を行う必要があるか否かについて判断する移動通信方法であって、
前記移動局は、前記第２エリアから前記第１エリアに移動した場合に、前記第１ネットワークに対して位置登録処理を行う必要が無いと判断した場合であっても、所定外部ネットワークに対する接続がないと判断した場合には、該所定外部ネットワークに対する接続処理を行うことを特徴とする移動通信方法。
【請求項２】
前記移動局は、前記第１ネットワークに対するＡｔｔａｃｈ処理時に、前記所定外部ネットワークに係る情報を取得して保持し、
前記移動局は、前記所定外部ネットワークに係る情報を参照して、該所定外部ネットワークに対する接続の有無について判断することを特徴とする請求項１に記載の移動通信方法。
【請求項３】
前記所定外部ネットワークに係る情報は、通信事業者の識別情報及び外部ネットワークの識別情報を含むことを特徴とする請求項２に記載の移動通信方法。
【請求項４】
第２ネットワーク内の第２エリアから第１ネットワーク内の第１エリアに移動した場合に、該第１エリアに係る情報を管理しているか否かに応じて、該第１ネットワークに対して位置登録処理を行う必要があるか否かについて判断するように構成されている移動局であって、
前記第２エリアから前記第１エリアに移動した場合に、前記第１ネットワークに対して位置登録処理を行う必要が無いと判断した場合であっても、所定外部ネットワークに対する接続がないと判断した場合には、該所定外部ネットワークに対する接続処理を行うように構成されている接続処理部を具備することを特徴とする移動局。
【請求項５】
前記第１ネットワークに対するＡｔｔａｃｈ処理時に、前記所定外部ネットワークに係る情報を取得して記憶部に保持するように構成されているＡｔｔａｃｈ処理部を具備し、
前記接続処理部は、前記記憶部に前記所定外部ネットワークに係る情報を参照して、該所定外部ネットワークに対する接続の有無を判断するように構成されていることを特徴とする請求項４に記載の移動局。
【請求項６】
前記所定外部ネットワークに係る情報は、通信事業者の識別情報及び外部ネットワークの識別情報を含むことを特徴とする請求項５に記載の移動局。
【発明の詳細な説明】
【技術分野】
【０００１】
本発明は、移動局が、第２ネットワーク内の第２エリアから第１ネットワーク内の第１エリアに移動した場合に、該第１エリアに係る情報を管理しているか否かに応じて、該第１ネットワークに対して位置登録処理を行う必要があるか否かについて判断する移動通信方法、及び、移動局に関する。
【背景技術】
【０００２】
３ＧＰＰで規定されている「Ｅ-ＵＴＲＡＮ（Ｅｖｏｌｖｅｄ-Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）/ＥＰＣ（Ｅｖｏｌｖｅｄ  Ｐａｃｋｅｔ  Ｃｏｒｅ）」方式の移動通信システムでは、移動局ＵＥは、Ａｔｔａｃｈ処理時に、ネットワークから指定された「Ｄｅｆａｕｌｔ  ＡＰＮ（Ａｃｃｅｓｓ  Ｐｏｉｎｔ  Ｎａｍｅ）」に対して接続するように構成されている。
【０００３】
具体的には、図５に示すように、ステップＳ１００において、Ｅ-ＵＴＲＡＮ内のエリアにおいて、Ａｔｔａｃｈ処理を開始した移動局ＵＥは、Ｅ-ＵＴＲＡＮパケット交換機ＭＭＥに対して「Ａｔｔａｃｈ  ｒｅｑｕｅｓｔ（Ａｔｔａｃｈ要求）」を送信する。
【０００４】
ステップＳ１０１において、交換局ＭＭＥは、加入者収容局から、当該移動局ＵＥに係る加入者データ（Ｄｅｆａｕｌｔ  ＡＰＮ情報を含む）をダウンロードする。
【０００５】
ステップＳ１０２において、移動局ＵＥは、交換局ＭＭＥからの指示に応じて、「Ｄｅｆａｕｌｔ  ＡＰＮ（例えば、ＩＭＳ（ＩＰ  Ｍｕｌｔｉｍｅｄｉａ  Ｓｕｂｓｙｓｔｅｍ））に対する接続処理を行う。
【０００６】
ステップＳ１０３において、移動局ＵＥと「Ｄｅｆａｕｌｔ  ＡＰＮ」との間でベアラが確立される。
【０００７】
また、移動局ＵＥは、Ｅ-ＵＴＲＡＮ内のエリアと、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）内のエリアとの間で移動する場合、Ｅ-ＵＴＲＡＮ又はＵＴＲＡＮに対して、位置登録処理を行うように構成されている。
【０００８】
具体的には、図６に示すように、ステップＳ１１１において、移動局ＵＥは、ＵＴＲＡＮ位置登録エリアＲＡ＃１にいる場合（状態（Ａ））、ＵＴＲＡＮパケット交換機ＳＧＳＮに対して「Ａｔｔａｃｈ  ｒｅｑｕｅｓｔ（ＲＡ＃１）」を送信する。
【０００９】
ＵＴＲＡＮパケット交換機ＳＧＳＮは、ステップＳ１１２において、加入者データベースＨＳＳ（Ｈｏｍｅ  Ｓｕｂｓｃｒｉｂｅｒ  Ｓｅｒｖｅｒ）に対して、移動局ＵＥの位置登録情報の更新指示を行い、ステップＳ１１３において、移動局ＵＥに対して「Ａｔｔａｃｈ  ａｃｃｅｐｔ（ＲＡ＃１に係る情報を含む）」を送信する。
【００１０】
ここで、ＵＴＲＡＮにおける移動局ＵＥのＵＥコンテキストである「ＧＭＭ  ｃｏｎｔｅｘｔ」は、移動局ＵＥ及びＵＴＲＡＮパケット交換機ＳＧＳＮの双方に保持される。
【００１１】
移動局ＵＥは、ＵＴＲＡＮ位置登録エリアＲＡ＃１からＥ-ＵＴＲＡＮ位置登録エリアＴＡ＃１に移動したことを検知すると（状態（Ｂ））、ステップＳ１２１において、Ｅ-ＵＴＲＡＮに対する位置登録要求（ＴＡ＃１）を、Ｅ-ＵＴＲＡＮ用パケット交換機ＭＭＥに対して送信する。
【００１２】
Ｅ-ＵＴＲＡＮパケット交換機ＭＭＥは、ステップＳ１２２において、加入者データベースＨＳＳに対して、移動局ＵＥの位置登録情報の更新指示を行い、ステップＳ１２３において、移動局ＵＥに対して「位置登録応答（ＴＡ＃１及びＴＡ＃２に係る情報を有するＴＡリストを含む）」を送信する。
【００１３】
ここで、移動局ＵＥにおいて、上述の「ＧＭＭ  ｃｏｎｔｅｘｔ」が削除され、代わりに、Ｅ-ＵＴＲＡＮにおける移動局ＵＥのＵＥコンテキストである「ＥＭＭ  ｃｏｎｔｅｘｔ」が保持される。なお、かかる「ＥＭＭ  ｃｏｎｔｅｘｔ」は、Ｅ-ＵＴＲＡＮパケット交換機ＭＭＥにも保持される。
【００１４】
その後、移動局ＵＥは、Ｅ-ＵＴＲＡＮ位置登録エリアＴＡ＃１からＵＴＲＡＮ位置登録エリアＲＡ＃１に移動したことを検知すると（状態（Ｃ））、ステップＳ１３１において、ＵＴＲＡＮに対する位置登録要求（ＲＡ＃１）を、ＵＴＲＡＮ用パケット交換機ＳＧＳＮに対して送信する。
【００１５】
また、移動局ＵＥは、ＵＴＲＡＮ位置登録エリアＲＡ＃１からＥ-ＵＴＲＡＮ位置登録エリアＴＡ＃２に移動したことを検知すると（状態（Ｄ））、ステップＳ１４１において、Ｅ-ＵＴＲＡＮに対する位置登録要求（ＴＡ＃２）を、Ｅ-ＵＴＲＡＮ用パケット交換機ＭＭＥに対して送信する。
【００１６】
一般的に、図７に示すように、上述の移動通信システムでは、移動局ＵＥがＥ-ＵＴＲＡＮ位置登録エリアに在圏している場合には、無線基地局ｅＮＢとの間のＲＲＣコネクションがＩｄｌｅ状態（非通信状態）に遷移した場合であっても、移動局ＵＥと「Ｄｅｆａｕｌｔ  ＡＰＮ」との間の接続（具体的には、「Ｄｅｆａｕｌｔ  ＡＰＮ」と「Ｓｅｒｖｉｎｇ-ＧＷ」との間の移動局ＵＥ用の接続）を維持するように構成されている。
【００１７】
しかしながら、ＵＴＲＡＮでは、Ｅ-ＵＴＲＡＮと比較して、１つの移動局ＵＥが同時に接続可能な外部ネットワーク（ＡＰＮ）の数が少ないため、移動局ＵＥが、ＵＴＲＡＮ内のエリアに在圏している間に、当該移動局ＵＥと「Ｄｅｆａｕｌｔ  ＡＰＮ」との間の接続が切断されるケースがある。
【００１８】
したがって、３ＧＰＰでは、このようなケースにおいて、移動局ＵＥが、ＵＴＲＡＮ内のエリアからＥ-ＵＴＲＡＮ内のエリアに戻った場合に、当該移動局ＵＥに対して、「Ｄｅｆａｕｌｔ  ＡＰＮ」に対する接続処理を促す方法が規定されている。
【００１９】
具体的には、図８に示すように、移動局ＵＥは、ＵＴＲＡＮ内のエリアからＥ-ＵＴＲＡＮ内のエリアに戻った場合に、ステップＳ１５０において、Ｅ-ＵＴＲＡＮパケット交換機ＭＭＥに対して位置登録要求を送信し、ステップＳ１５１において、Ｅ-ＵＴＲＡＮパケット交換機ＭＭＥから、Ａｔｔａｃｈ処理を再度行うように指示する位置登録拒否応答を受信する。
【００２０】
ステップＳ１５２において、移動局ＵＥは、Ｅ-ＵＴＲＡＮパケット交換機ＭＭＥに対して「Ａｔｔａｃｈ  ｒｅｑｕｅｓｔ」を送信する。
【００２１】
ステップＳ１５３において、交換局ＭＭＥは、加入者収容局から、当該移動局ＵＥに係る加入者データ（Ｄｅｆａｕｌｔ  ＡＰＮ情報を含む）をダウンロードする。
【００２２】
ステップＳ１５４において、移動局ＵＥは、交換局ＭＭＥからの指示に応じて、「Ｄｅｆａｕｌｔ  ＡＰＮ（例えば、ＩＭＳ（ＩＰ  Ｍｕｌｔｉｍｅｄｉａ  Ｓｕｂｓｙｓｔｅｍ））に対する接続処理を行う。
【００２３】
ステップＳ１５５において、移動局ＵＥと「Ｄｅｆａｕｌｔ  ＡＰＮ」との間でベアラが確立される。
【００２４】
また、上述の移動通信システムにおいて、「ＩＳＲ（Ｉｄｌｅ  Ｍｏｄｅ  Ｓｉｇｎａｌｉｎｇ  Ｒｅｄｕｃｔｉｏｎ）」という技術が規定されている。
【００２５】
「ＩＳＲ」が適用されている移動通信システムでは、移動局ＵＥは、ＵＴＲＡＮ内のエリアとＥ-ＵＴＲＡＮ内のエリアとの間で移動した場合であっても、位置登録処理を行う必要が無いため、位置登録処理に係る信号の削減を図ることができる。
【００２６】
具体的には、図９に示すように、ステップＳ２０１において、移動局ＵＥは、ＵＴＲＡＮ位置登録エリアＲＡ＃１にいる場合（状態（Ａ））、ＵＴＲＡＮパケット交換機ＳＧＳＮに対して「Ａｔｔａｃｈ  ｒｅｑｕｅｓｔ（ＲＡ＃１）」を送信する。
【００２７】
ＵＴＲＡＮパケット交換機ＳＧＳＮは、ステップＳ２０２において、加入者データベースＨＳＳに対して、移動局ＵＥの位置登録情報の更新指示を行い、ステップＳ２０３において、移動局ＵＥに対して「Ａｔｔａｃｈ  ａｃｃｅｐｔ（ＲＡ＃１に係る情報及びＩＳＲが適用されていることを示す情報を含む）」を送信する。
【００２８】
ここで、ＵＴＲＡＮにおける移動局ＵＥのＵＥコンテキストである「ＧＭＭ  ｃｏｎｔｅｘｔ」は、移動局ＵＥ及びＵＴＲＡＮパケット交換機ＳＧＳＮの双方に保持される。
【００２９】
移動局ＵＥは、ＵＴＲＡＮ位置登録エリアＲＡ＃１からＥ-ＵＴＲＡＮ位置登録エリアＴＡ＃１に移動したことを検知すると（状態（Ｂ））、ステップＳ２１１において、Ｅ-ＵＴＲＡＮに対する位置登録要求（ＴＡ＃１）を、Ｅ-ＵＴＲＡＮ用パケット交換機ＭＭＥに対して送信する。
【００３０】
Ｅ-ＵＴＲＡＮパケット交換機ＭＭＥは、ステップＳ２１２において、加入者データベースＨＳＳに対して、移動局ＵＥの位置登録情報の更新指示を行い、ステップＳ２１３において、移動局ＵＥに対して「位置登録応答（ＴＡ＃１及びＴＡ＃２に係る情報を有するＴＡリストを含む）」を送信する。
【００３１】
ここで、移動局ＵＥは、上述の「ＧＭＭ  ｃｏｎｔｅｘｔ」を削除せずに、「ＥＭＭ  ｃｏｎｔｅｘｔ」と共に保持している。なお、かかる「ＥＭＭ  ｃｏｎｔｅｘｔ」は、Ｅ-ＵＴＲＡＮパケット交換機ＭＭＥにも保持される。
【００３２】
その後、移動局ＵＥは、Ｅ-ＵＴＲＡＮ位置登録エリアＴＡ＃１からＵＴＲＡＮ位置登録エリアＲＡ＃１に移動したことを検知した場合であっても（状態（Ｃ））、「ＧＭＭ  ｃｏｎｔｅｘｔ」を保持しているため、ＵＴＲＡＮに対する位置登録要求（ＲＡ＃１）を、ＵＴＲＡＮ用パケット交換機ＳＧＳＮに対して送信しない。
【００３３】
また、移動局ＵＥは、ＵＴＲＡＮ位置登録エリアＲＡ＃１からＥ-ＵＴＲＡＮ位置登録エリアＴＡ＃２に移動したことを検知した場合も（状態（Ｄ））、ＴＡリスト内のＴＡ間の移動であり、また、「ＥＭＭ  ｃｏｎｔｅｘｔ」を保持しているため、Ｅ-ＵＴＲＡＮに対する位置登録要求（ＴＡ＃２）を、Ｅ-ＵＴＲＡＮ用パケット交換機ＭＭＥに対して送信しない。
【非特許文献１】3GPP TS23.401v8.2.0 General Packet Radio Service (GPRS) enhancements for Evolved Universal Terrestrial Radio Access Network (E-UTRAN) access (Release 8)
【発明の開示】
【発明が解決しようとする課題】
【００３４】
しかしながら、上述の移動通信システムにおいて、「ＩＳＲ」が適用されている場合、移動局ＵＥが、ＵＴＲＡＮ内のエリアに在圏している間に、「Ｄｅｆａｕｌｔ  ＡＰＮ」との間の接続が切断された場合には、ＵＴＲＡＮ内のエリアからＥ-ＵＴＲＡＮ内のエリアに戻った場合に、「Ｄｅｆａｕｌｔ  ＡＰＮ」に対する接続処理を行う契機が無いという問題点があった。
【００３５】
Ｅ-ＵＴＲＡＮは、移動局ＵＥが、「Ｄｅｆａｕｌｔ  ＡＰＮ」に常時接続していることを前提として設計されているため、移動局ＵＥと「Ｄｅｆａｕｌｔ  ＡＰＮ」との間の接続がない場合には、移動局ＵＥにおいて、「Ｄｅｆａｕｌｔ  ＡＰＮ」からの着信信号を受信することができないという問題点があった。
【００３６】
そこで、本発明は、上述の課題に鑑みてなされたものであり、「ＩＳＲ」が適用されている場合で、移動局ＵＥが、ＵＴＲＡＮ内のエリアに在圏している間に、当該移動局ＵＥと「Ｄｅｆａｕｌｔ  ＡＰＮ」との間の接続が切断された場合であっても、ＵＴＲＡＮ内のエリアからＥ-ＵＴＲＡＮ内のエリアに戻った場合に、「Ｄｅｆａｕｌｔ  ＡＰＮ」に対する接続処理を行うことができる移動通信方法及び移動局を提供することを目的とする。
【課題を解決するための手段】
【００３７】
本発明の第１の特徴は、移動局が、第２ネットワーク内の第２エリアから第１ネットワーク内の第１エリアに移動した場合に、該第１エリアに係る情報を管理しているか否かに応じて、該第１ネットワークに対して位置登録処理を行う必要があるか否かについて判断する移動通信方法であって、前記移動局は、前記第２エリアから前記第１エリアに移動した場合に、前記第１ネットワークに対して位置登録処理を行う必要が無いと判断した場合であっても、所定外部ネットワークに対する接続がないと判断した場合には、該所定外部ネットワークに対する接続処理を行うことを要旨とする。
【００３８】
本発明の第１の特徴において、前記移動局は、前記第１ネットワークに対するＡｔｔａｃｈ処理時に、前記所定外部ネットワークに係る情報を取得して保持し、前記移動局は、前記所定外部ネットワークに係る情報を参照して、該所定外部ネットワークに対する接続の有無を判断してもよい。
【００３９】
本発明の第１の特徴において、前記所定外部ネットワークに係る情報は、通信事業者の識別情報及び外部ネットワークの識別情報を含んでいてもよい。
【００４０】
本発明の第２の特徴は、第２ネットワーク内の第２エリアから第１ネットワーク内の第１エリアに移動した場合に、該第１エリアに係る情報を管理しているか否かに応じて、該第１ネットワークに対して位置登録処理を行う必要があるか否かについて判断するように構成されている移動局であって、前記第２エリアから前記第１エリアに移動した場合に、前記第１ネットワークに対して位置登録処理を行う必要が無いと判断した場合であっても、所定外部ネットワークに対する接続がないと判断した場合には、該所定外部ネットワークに対する接続処理を行うように構成されている接続処理部を具備することを要旨とする。
【００４１】
本発明の第２の特徴において、前記第１ネットワークに対するＡｔｔａｃｈ処理時に、前記所定外部ネットワークに係る情報を取得して記憶部に保持するように構成されているＡｔｔａｃｈ処理部を具備し、前記接続処理部は、前記記憶部に前記所定外部ネットワークに係る情報を参照して、該所定外部ネットワークに対する接続の有無を判断するように構成されていてもよい。
【００４２】
本発明の第２の特徴において、前記所定外部ネットワークに係る情報は、通信事業者の識別情報及び外部ネットワークの識別情報を含んでいてもよい。
【発明の効果】
【００４３】
以上説明したように、本発明によれば、「ＩＳＲ」が適用されている場合で、移動局ＵＥが、ＵＴＲＡＮ内のエリアに在圏している間に、「Ｄｅｆａｕｌｔ  ＡＰＮ」との間の接続が切断された場合であっても、ＵＴＲＡＮ内のエリアからＥ-ＵＴＲＡＮ内のエリアに戻った場合に、「Ｄｅｆａｕｌｔ  ＡＰＮ」に対する接続処理を行うことができる移動通信方法及び移動局を提供することができる。
【発明を実施するための最良の形態】
【００４４】
（本発明の第１の実施形態に係る移動通信システム）
図１乃至図４を参照して、本発明の第１の実施形態に係る移動通信システムについて説明する。
【００４５】
図１に示すように、本実施形態に係る移動通信システムには、Ｅ-ＵＴＲＡＮ及びＵＴＲＡＮの双方が混在している。また、本実施形態に係る移動通信システムは、上述した「ＩＳＲ」が適用されている。
【００４６】
図２に示すように、本実施形態に係る移動局ＵＥは、Ａｔｔａｃｈ処理部１１と、記憶部１２と、位置登録処理部１３と、Ｄｅｆａｕｌｔ  ＡＰＮ接続処理部１４とを具備している。
【００４７】
Ａｔｔａｃｈ処理部１１は、移動局ＵＥの電源投入時等の所定トリガの発生時に、Ｅ-ＵＴＲＡＮ（第１ネットワーク）或いはＵＴＲＡＮ（第２ネットワーク）に対するＡｔｔａｃｈ処理を行うように構成されている。
【００４８】
例えば、図２に示すように、移動局ＵＥが、Ｅ-ＵＴＲＡＮ内のエリアにいる場合には、Ａｔｔａｃｈ処理部１１は、所定トリガの発生時に、Ｅ-ＵＴＲＡＮパケット交換機ＭＭＥに対して「Ａｔｔａｃｈ  ｒｅｑｕｅｓｔ（Ａｔｔａｃｈ要求）」を送信し（Ｓ０）、Ｅ-ＵＴＲＡＮパケット交換機ＭＭＥから、当該移動局ＵＥによるＡｔｔａｃｈ処理が受け付けられたことを示す「Ａｔｔａｃｈ  ａｃｃｅｐｔ（Ａｔｔａｃｈ受付応答）」を受信する（Ｓ０）ように構成されている。
【００４９】
なお、かかるＡｔｔａｃｈ処理によって、移動局ＵＥと「Ｄｅｆａｕｌｔ  ＡＰＮ（所定外部ネットワーク）」との間の接続が確立するものとする。
【００５０】
また、Ａｔｔａｃｈ処理部１１は、「Ａｔｔａｃｈ  ａｃｃｅｐｔ」によって、「Ｄｅｆａｕｌｔ  ＡＰＮ情報（所定外部ネットワークに係る情報）」を取得して記憶部１２に保持するように構成されている。
【００５１】
ここで、「Ｄｅｆａｕｌｔ  ＡＰＮ情報（所定外部ネットワークに係る情報）」は、通信事業者の識別情報及び外部ネットワークの識別情報を含んでいてもよい。なお、外部ネットワークの識別情報は、各通信事業者によって自由に設定可能な識別情報である。
【００５２】
位置登録処理部１３は、移動局ＵＥが、ＵＴＲＡＮ（第２ネットワーク）内のＵＴＲＡＮ位置登録エリアＲＡ＃１（第２エリア）からＥ-ＵＴＲＡＮ（第１ネットワーク）内のＥ-ＵＴＲＡＮ位置登録エリアＴＡ＃２（第１エリア）に移動した場合に、当該Ｅ-ＵＴＲＡＮ位置登録エリアＴＡ＃２（第１エリア）に係る情報（当該Ｅ-ＵＴＲＡＮ位置登録エリアＴＡ＃２を含むＴＡリスト）を管理しているか否かに応じて、Ｅ-ＵＴＲＡＮ（第１ネットワーク）に対して位置登録処理を行う必要があるか否かについて判断するように構成されている。
【００５３】
なお、本実施形態では、上述の図８に示す方法が適用されているため、移動局ＵＥは、ＵＴＲＡＮ内のエリアに在圏している間に、当該移動局ＵＥと「Ｄｅｆａｕｌｔ  ＡＰＮ」との間の接続が切断された場合には、ＵＴＲＡＮ内のエリアからＥ-ＵＴＲＡＮ内のエリアに戻った場合に、Ｅ-ＵＴＲＡＮパケット交換機ＭＭＥによって位置登録要求が拒否され、再度、Ａｔｔａｃｈ処理を行うように構成されている。
【００５４】
Ｄｅｆａｕｌｔ  ＡＰＮ接続処理部１４は、「Ｄｅｆａｕｌｔ  ＡＰＮ（所定外部ネットワーク）」に対する接続処理を行うように構成されている。
【００５５】
具体的には、Ｄｅｆａｕｌｔ  ＡＰＮ接続処理部１４は、移動局ＵＥが、ＵＴＲＡＮ（第２ネットワーク）内のＵＴＲＡＮ位置登録エリア（第２エリア）からＥ-ＵＴＲＡＮ（第１ネットワーク）内のＥ-ＵＴＲＡＮ位置登録エリア（第１エリア）に移動した場合に、Ｅ-ＵＴＲＡＮ（第１ネットワーク）に対して位置登録処理を行う必要が無いと判断した場合であっても、「Ｄｅｆａｕｌｔ  ＡＰＮ（所定外部ネットワーク）」に対する接続がないと判断した場合には、「Ｄｅｆａｕｌｔ  ＡＰＮ（所定外部ネットワーク）」に対する接続処理を行うように構成されている。
【００５６】
具体的には、位置登録処理部１３は、「Ｄｅｆａｕｌｔ  ＡＰＮ情報」及び「ＳＭ（Ｓｅｓｓｉｏｎ  Ｍａｎａｇｅｍｅｎｔ）  Ｃｏｎｆｉｇｕｒａｔｉｏｎ」を参照して、「Ｄｅｆａｕｌｔ  ＡＰＮ（所定外部ネットワーク）」に対する接続の有無を判断するように構成されている。
【００５７】
例えば、「ＳＭ  Ｃｏｎｆｉｇｕｒａｔｉｏｎ」は、記憶部１２に記憶されている情報であって、当該移動局ＵＥに対して割り当てられているＩＰアドレスや、ベアラＱｏＳや、接続先外部ネットワーク（ＡＰＮ）情報等が含まれている。ただし、「ＳＭ  Ｃｏｎｆｉｇｕｒａｔｉｏｎ」には、「Ｄｅｆａｕｌｔ  ＡＰＮ情報（所定外部ネットワークに係る情報）」については含まれていない。
【００５８】
したがって、位置登録処理部１３は、記憶部１２に記憶されている「Ｄｅｆａｕｌｔ  ＡＰＮ情報」によって特定される「Ｄｅｆａｕｌｔ  ＡＰＮ（所定外部ネットワーク）」が、「ＳＭ  Ｃｏｎｆｉｇｕｒａｔｉｏｎ」内の接続先外部ネットワーク（ＡＰＮ）情報として管理されていない場合、「Ｄｅｆａｕｌｔ  ＡＰＮ（所定外部ネットワーク）」に対する接続がないと判断する。
【００５９】
以下、図３及び図４を参照して、本発明の第１の実施形態に係る移動通信システムの動作について説明する。
【００６０】
図３に示すように、移動局ＵＥが、ステップＳ２０において、ＵＴＲＡＮ位置登録エリアＲＡ＃１からＥ-ＵＴＲＡＮ位置登録エリアＴＡ＃２に移動したことを検知した場合に、ステップＳ２１において、当該Ｅ-ＵＴＲＡＮ位置登録エリアＴＡ＃２を含むＴＡリストを管理しているか否かに応じて、Ｅ-ＵＴＲＡＮに対して位置登録処理を行う必要があるか否かについて判断する。
【００６１】
かかる位置登録処理が必要であると判断された場合、ステップＳ２２において、移動局ＵＥは、Ｅ-ＵＴＲＡＮに対して位置登録処理を行う。
【００６２】
一方、かかる位置登録処理が必要でないと判断された場合、ステップＳ２３において、移動局ＵＥは、「Ｄｅｆａｕｌｔ  ＡＰＮ（所定外部ネットワーク）」に対する接続の有無を判断する。
【００６３】
「Ｄｅｆａｕｌｔ  ＡＰＮ（所定外部ネットワーク）」に対する接続があると判断された場合には、本動作は、終了する。
【００６４】
一方、「Ｄｅｆａｕｌｔ  ＡＰＮ（所定外部ネットワーク）」に対する接続がないと判断された場合、ステップＳ２４において、移動局ＵＥは、「Ｄｅｆａｕｌｔ  ＡＰＮ」に対する接続処理を行う。
【００６５】
具体的には、図４に示すように、移動局ＵＥは、ステップＳ１０において、Ｅ-ＵＴＲＡＮ位置登録エリアＴＡ＃２に移動したことを検知した場合で、かつ、「Ｄｅｆａｕｌｔ  ＡＰＮ（所定外部ネットワーク）」に対する接続がないと判断された場合には、ステップＳ１１において、Ｅ-ＵＴＲＡＮパケット交換機ＭＭＥに対して「ＵＥ  Ｒｅｑｕｅｓｔｅｄ  ＰＤＮ  Ｃｏｎｎｅｃｔｉｖｉｔｙ（Ｄｅｆａｕｌｔ  ＡＰＮ）」を送信する。
【００６６】
ステップＳ１２において、移動局ＵＥは、交換局ＭＭＥからの指示に応じて、「Ｄｅｆａｕｌｔ  ＡＰＮ（例えば、ＩＭＳ（ＩＰ  Ｍｕｌｔｉｍｅｄｉａ  Ｓｕｂｓｙｓｔｅｍ））に対する接続処理を行い、ステップＳ１３において、移動局ＵＥと「Ｄｅｆａｕｌｔ  ＡＰＮ」との間でベアラが確立される。
【００６７】
（本発明の第１の実施形態に係る移動通信システムの作用・効果）
本発明の第１の実施形態に係る移動通信システムによれば、移動局ＵＥが、ＵＴＲＡＮ内のエリアからＥ-ＵＴＲＡＮ内のエリアに戻った場合に、「Ｄｅｆａｕｌｔ  ＡＰＮ」との間の接続がない場合には、Ｅ-ＵＴＲＡＮに対して位置登録処理を行う必要が無い場合であっても、「Ｄｅｆａｕｌｔ  ＡＰＮ」に対する接続処理を行うように構成されている。
【００６８】
したがって、「ＩＳＲ」が適用されている場合で、移動局ＵＥが、ＵＴＲＡＮ内のエリアに在圏している間に、「Ｄｅｆａｕｌｔ  ＡＰＮ」との間の接続が切断された場合であっても、ＵＴＲＡＮ内のエリアからＥ-ＵＴＲＡＮ内のエリアに戻った場合に、「Ｄｅｆａｕｌｔ  ＡＰＮ」に対する接続処理を行うことができる。
【００６９】
（変更例）
なお、上述の移動局ＵＥの動作は、ハードウェアによって実施されてもよいし、プロセッサによって実行されるソフトウェアモジュールによって実施されてもよいし、両者の組み合わせによって実施されてもよい。
【００７０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ内に設けられていてもよい。また、かかる記憶媒体及びプロセッサは、ディスクリートコンポーネントとして移動局ＵＥ内に設けられていてもよい。
【００７２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００７３】
【図１】本発明の第１の実施形態に係る移動局の機能ブロック図である。
【図２】本発明の第１の実施形態に係る移動局の動作を説明するための図である。
【図３】本発明の第１の実施形態に係る移動局の動作を示すフローチャートである。
【図４】本発明の第１の実施形態に係る移動局の動作を説明するための図である。
【図５】従来の移動通信システムの動作を説明するための図である。
【図６】従来の移動通信システムの動作を説明するための図である。
【図７】従来の移動通信システムの動作を説明するための図である。
【図８】従来の移動通信システムの動作を説明するための図である。
【図９】従来の移動通信システムの動作を説明するための図である。
【符号の説明】
【００７４】
ＵＥ…移動局
１１…Ａｔｔａｃｈ処理部
１２…記憶部
１３…位置登録処理部
１４…Ｄｅｆａｕｌｔ  ＡＰＮ接続処理部
【図１】
2010010849.tif 000003
【図２】
2010010849.tif 000004
【図３】
2010010849.tif 000005
【図４】
2010010849.tif 000006
【図５】
2010010849.tif 000007
【図６】
2010010849.tif 000008
【図７】
2010010849.tif 000009
【図８】
2010010849.tif 000010
【図９】
2010010849.tif 000011